(57)【要約】【課題】  他の構成にも転用可能で、かつ、高い圧力下において、特に爆発状態下でも封止を有効に維持することができるケーブルグランドを提供する。【解決手段】  ケーブルグランドは、開口部を固定するグランド本体２、グランド本体２と螺合可能な押込スリーブ８、及び押込スリーブ８と螺合可能でケーブル封止体１３を有する後部ナット１０を備える。押込スリーブ８は、締付リング６を挿入体１４の一端へ向けて付勢し、締付リング６と挿入体１４の対向面の間に導線を挟みこむ。封止体１８は挿入アダプタ１６により挿入体１４の他端部に装着される。挿入アダプタ１６は挿入体１４に押し込まれて固定される端部を有しており、軸方向における分離を防止する。グランドの用途に応じて、挿入体１４は異なる挿入アダプタ１６と封止体１８とともに使用される。【選択図】図１
2010503374.tif 000002
【特許請求の範囲】
【請求項１】
本体と、
該本体内に設けられ内部軸穴が形成された挿入部と、
該挿入部の該内部軸穴内で使用されるよう構成された配置手段を有するアダプタと、を備えていることを特徴とするケーブル用ケーブルグランド。
【請求項２】
該配置手段は、該挿入部の該内部軸穴に収容され、軸方向に延伸する該アダプタの円筒部であることを特徴とする請求項１記載のケーブルグランド。
【請求項３】
該円筒部の先端部は、該円筒部の該内部軸穴への挿入を促進するようわずかに傾斜していることを特徴とする請求項２記載のケーブルグランド。
【請求項４】
該アダプタと該挿入部には、該円筒部を該内部軸穴に挿入して該アダプタと該挿入部とを接続した際に係合する協働機構が設けられていることを特徴とする請求項２あるいは３記載のケーブルグランド。
【請求項５】
該協働機構は、該円筒部の該内部軸穴からの離脱を阻止するよう係合時に連動することを特徴とする請求項４記載のケーブルグランド。
【請求項６】
該協働機構は、該挿入部の該内部軸穴の内面上に設けられる内側突出環状リブを備え、該内側突出環状リブは該アダプタと該挿入部とが係合された際の軸方向の分離を防止するための該アダプタの該円筒部の対向接合面と協働する対向接合面を有することを特徴とする請求項５記載のケーブルグランド。
【請求項７】
該内側突出環状リブは、該対向接合面に通ずるわずかに傾斜した面を有し、該傾斜面は、該円筒部が該内部軸穴に挿入された際に該円筒部と協働して該内側突出環状リブを経由し、該対向接合面同士の係合を促進することを特徴とする請求項６記載のケーブルグランド。
【請求項８】
該内部軸穴は該挿入部の第１端面から穿設され、該アダプタは該協働機構が係合する際に該第１端面と当接する外部接合部を有していることを特徴とする請求項４乃至７のいずれか一に記載のケーブルグランド。
【請求項９】
該第１端面は、該協働機構が係合する際に該アダプタと該挿入部との相対回転を阻止することを特徴とする請求項８記載のケーブルグランド。
【請求項１０】
該第１端面は、粗面状、鋸歯状、あるいは該挿入部と該アダプタとの間の相対回転を阻止するように構成されていることを特徴とする請求項９記載のケーブルグランド。
【請求項１１】
該第１端面上の該粗面あるいは該鋸歯は、該第１端面の該内部軸穴の周りの面で該円筒部と係合し、該挿入部と該アダプタとの間の相対回転を阻止することを特徴とする請求項１０記載のケーブルグランド。
【請求項１２】
該挿入部の該内部軸穴は、内部段部に終端する端ぐりを有しており、該内部段部は、該挿入部の第２端面まで延在し、該内部軸穴より小径の軸穴に通ずることを特徴とする請求項８乃至１１のいずれか一に記載のケーブルグランド。
【請求項１３】
該円筒部は、小径の該軸穴に相当する内径を有することを特徴とする請求項１２記載のケーブルグランド。
【請求項１４】
該挿入部は金属あるいは合金から成り、該アダプタはプラスチック、エラストマ、ゴムその他適切な材料により構成されることを特徴とする請求項１乃至１３のいずれか一に記載のケーブルグランド。
【請求項１５】
該アダプタは該ブランド内の封止機能を提供、あるいは補助することを特徴とする請求項１乃至１４のいずれか一に記載のケーブルグランド。
【請求項１６】
該アダプタは封止部を支持することを特徴とする請求項１５記載のケーブルグランド。
【請求項１７】
該封止部と該アダプタとは恒久的に一体化されていることを特徴とする請求項１６記載のケーブルグランド。
【請求項１８】
該封止部は該アダプタ上に成型されることを特徴とする請求項１６記載のケーブルグランド。
【請求項１９】
該アダプタは、硬化充填材を収容するバリアスリーブの一端部を支持することを特徴とする請求項１５記載のケーブルグランド。
【請求項２０】
該アダプタは、該硬化充填材と該バリアスリーブとの間を封止することを特徴とする請求項１９記載のケーブルグランド。
【請求項２１】
該アダプタは、ケーブル用の封止を提供することを特徴とする請求項１５記載のケーブルグランド。
【請求項２２】
該封止はリップシールであることを特徴とする請求項２１記載のケーブルグランド。
【請求項２３】
該封止は圧縮シールであることを特徴とする請求項２１記載のケーブルグランド。
【請求項２４】
該封止はダイヤフラムシールであることを特徴とする請求項２１記載のケーブルグランド。
【請求項２５】
該挿入部と組み付け可能な複数のアダプタのセットを有し、該セットのうち任意の一つのアダプタと該挿入部とを組み合わせることで必要なグランドの構成部品となることを特徴とする請求項１記載のケーブルグランド。
【請求項２６】
ケーブルグランド用の挿入部と複数の挿入アダプタであって、
該挿入部は任意の選択された一つの挿入アダプタと接続可能であって、該ケーブルグランドの組み立てに必要なグランドの構成部品となり、
該選択された一つの挿入アダプタは、該挿入部の内部軸穴に収容される円筒部を有し、該円筒部と該内部軸穴とが係合して該挿入部と該挿入アダプタとを接続する協働機構を有することを特徴とする挿入部と複数の挿入アダプタ。
【発明の詳細な説明】
【技術分野】
【０００１】
本発明は、ケーブルグランドに関し、特に、電気ケーブル、光ファイバーケーブル等のためのケーブルグランドに関する。
【背景技術】
【０００２】
従来より、電気ケーブルを電気機器に接続する際、ケーブルグランドが使用されている。一般的には、接続箱や他の電気機器のケーブル導入口を封止し安全性を向上するため、特に、火災若しくは爆発が発生する危険性がある環境下においては、ケーブルに沿って発火するのを防止するために使用される。公知のケーブルグランドの一例では、グランド本体内のバリアスリーブ内に設けられた硬化可能な充填剤に導電体が組み込まれている。また、他の公知のケーブルグランドの一例としては、ダイヤフラム封止体や圧縮封止体に導電体を通すことで、封止体内部に圧力差が存在する状況下で導電体との係合を維持しようとするものを挙げることができる。これら公知のケーブルグランドには、所望の用途のためにデザインされた構成部品が用いられている。これらのケーブルグランドは、通常コスト高である真ちゅう製の部品を含んでおり、シンプルかつ安価な方法で別の用途にも転用可能な構成部品に対するニーズが存在する。
【発明の概要】
【発明が解決しようとする課題】
【０００３】
そこで本発明は、上述の不都合を考慮して、他の構成にも転用可能なケーブルグランドを提供することにある。
【０００４】
本発明の他の目的は、高い圧力下において、特に爆発状態下でも封止を有効に維持することができるケーブルグランドを提供することにある。
【課題を解決するための手段】
【０００５】
本発明の第１の側面では、請求項１記載のケーブル用ケーブルグランドは、本体と、本体内に設けられ内部軸穴が形成された挿入部と、該挿入部の該内部軸穴内で使用されるよう構成された配置手段を有するアダプタとを備えたことを特徴としている。
【０００６】
請求項１記載のケーブルグランドによれば、適切なアダプタを選択し装備することで、前記挿入部はさまざまな応用が可能になる。
【０００７】
該配置手段は、挿入部の内部軸穴に収容され、軸方向に延伸するアダプタの円筒部であることが望ましい。
【０００８】
円筒部の先端部は、円筒部の内部軸穴への挿入を促進するようにわずかに傾斜していることが望ましい。
【０００９】
該アダプタと該挿入部には、該円筒部を該内部軸穴に挿入して該アダプタと該挿入部とを接続した際に係合する協働機構を備えていることが望ましい。
【００１０】
該協働機構は、円筒部が内部軸穴から離脱しないよう係合された際噛み合うことが望ましい。このようにして、一旦アダプタと挿入部が係合すれば、両者は固定され容易に外れることはない。
【００１１】
該協働機構は、該挿入部の該内部軸穴の内面上に設けられる内側突出環状リブを有し、内側突出環状リブはアダプタと挿入部とが係合された際の軸方向の分離を防止するための該アダプタの該円筒部の対向端面と協働する対向接合面を有することが望ましい。
【００１２】
内部突出環状リブは該対向接合面に通ずるわずかに傾斜する面を有し、該傾斜面は、該円筒部が該内部軸穴に挿入された際に該円筒部と協働して該内側突出環状リブを経由し、該対向接合面同士の係合を促進することが望ましい。
【００１３】
上記協働機構に代わる構成も想到可能で、本発明はアダプタと挿入部を固定することができるような協働機構はすべて含むものとする。アダプタは、こうした協働機構によって挿入部に対して軸方向に相対的に位置決めされることが望ましい。アダプタが挿入部に対して相対回転するのを阻止するような構成であれば、また好都合である。
【００１４】
該内部軸穴は該挿入部の第１端面から穿設され、該アダプタは該協働機構が係合する際に該第１端面と当接する外部接合部を有していることが望ましい。
【００１５】
該第１端面は該協働機構が係合する際に、該挿入部に対して該アダプタが相対的に回転するのを阻止することが望ましい。このようにして、挿入部とアダプタは係合された際に軸方向と回転方向に固定される。また、第１端面は、挿入部とアダプタとの間の相対回転を阻止するために鋸歯状あるいは粗い状態である。
【００１６】
該第１端面上の粗面あるいは鋸歯は、該第１端面の該内部軸穴の周りの面で該円筒部と係合し、該挿入部と該アダプタとの間の相対回転を阻止することが望ましい。
【００１７】
該挿入部の該内部軸穴は内部段部に終端する端ぐりを有しており、該内部段部は該挿入部の第２端面まで延在し、該内部軸穴より小径の内部軸穴に通ずることが望ましい。
【００１８】
該円筒部は小径の該内部軸穴に想到する内径を有することが望ましい。このようにして、円筒部の内部側面はより小さい径を有する内部軸穴の内部側面と略一体化し、挿入部の第１、第２端面の間に略一定の径を有する比較的円滑な面が構成される。
【００１９】
挿入部は金属あるいは合金により構成され、アダプタはプラスチック、エラストマ、ゴムその他適切な材料により構成されていることが望ましい。このようにして、アダプタは比較的低コストで製造され、適切なアダプタを選択することにより挿入部は特定の用途に適合した構成となる。
【００２０】
真鍮は高価な材料であるものの、望ましい部品を製造するためにアダプタに挿入部を設けることで使用する真鍮は少量で済み、ケーブルグランドの製造コストを低くすることができる。さらに、同じ挿入部に異なるアダプタを組み付けることで、様々な状況に応じた幅広い部品を製造することができる。
【００２１】
該アダプタは該ブランド内の封止機能を提供、あるいは補助するように構成されている。
【００２２】
本発明の第１の側面では、アダプタは封止部を支持する。封止部はアダプタと離脱可能に構成されてもよいが、封止部とアダプタが恒久的に固定されていることが望ましい。例えば、封止部はアダプタ上に成型されてもよい。
【００２３】
本発明の他の側面では、硬化充填剤を収容するバリアスリーブの一端部を支持する。アダプタは、充填複合剤とバリアスリーブとの間を封止する。
【００２４】
他の側面では、ケーブルを封止する。封止法としては一例としてリップシール、圧縮シールあるいはダイヤフラムシールがあり、他のどんな種類の封止法を本発明のグランドに用いてもよい。
【００２５】
本発明の第１の側面では、ケーブルグランドは挿入部とアダプタを有している。アダプタは挿入部の第１端面に穿設される内部軸穴に収容される円筒部と、挿入部の端面に対向した位置にある接合面を有している。挿入部の端面は挿入部とアダプタとの回転を防止するようにされている。
【００２６】
挿入部の第１端面は、挿入部とアダプタとの間の回転を阻止するために鋸歯状あるいは粗い状態であることが望ましい。
【００２７】
円筒部は内部軸穴からの円筒部の離脱を防止するよう軸方向において固定されていることが望ましい。円筒部は、上述の第１の側面と同様、連動機構によって内部軸穴の内面に固定される。
【００２８】
挿入アダプタは、グランド内に封止機能を提供するように構成されていることが望ましい。挿入アダプタは、挿入部の外部のバリアスリーブあるいは封止部を支持するように構成されている。挿入アダプタを支持する代わりに、挿入アダプタが、封止を実行することとしてもよい。ここで封止とは、例えばリップ封止、押圧封止あるいは隔膜封止のように、本実施の形態のグランドで使用される他の種類の封止であってもよい。
【００２９】
本発明の第３の側面によれば、グランド部品を構成するために接続される挿入部と挿入アダプタが提供される。挿入部は、挿入部がグランド部品となるように、複数の挿入アダプタのうちの一つと接続可能に構成されている。
【００３０】
挿入アダプタは、挿入アダプタの内部軸穴あるいは反対に収容・固定される円筒部を有することが望ましい。
【００３１】
挿入部は、例えば真鍮のような金属により構成されていることが望ましい。挿入アダプタは、ナイロン、ポリエステルあるいはエラストマのようなプラスチックにより構成されていることが望ましい。
【００３２】
挿入アダプタは、挿入部に対して軸方向の移動が固定されるとともに、回動可能な構成とされることが望ましい。例えば、挿入アダプタは本発明の第１の側面においては軸方向に固定され、本発明の第２の側面では回動するようにされている。
【００３３】
挿入アダプタは、グランド内を封止するように構成されていることが望ましい。挿入アダプタは、挿入部の外部のバリアスリーブあるいは封止部を支持するように構成されている。挿入アダプタは、支持に代えて封止を提供することとしてもよい。ここで封止とは、例えばリップ封止、あるいは隔膜封止のように、本実施の形態のグランドで使用される他のタイプの封止であってもよい。
【００３４】
本発明の第４の側面では、ケーブルのためのケーブルグランドが提供される。ケーブルグランドは、本体と、本体内の挿入部と、挿入部の内部軸穴に設けられて固定される第１部と挿入部を外部で支持する第２部とを備えた挿入アダプタと有する。
【００３５】
封止部は、通常の使用では、第２部からの離脱を防止するように第２部に固定されていることが望ましい。より望ましくは、封止部と第２部は恒久的に取り付けられていることである。
【００３６】
封止部は、第２部を備えた挿入アダプタと一体となるように形成されることが望ましい。このようにして、封止部と挿入アダプタは、挿入部品として単一の部材となるように構成される。そのため、封止部は封止支持部と連関して組み立てられる。従って、シールを利用する際、ケーブルグランドの効率及び安定性が改善する。
【００３７】
アダプタの第１部は、配置手段により挿入部の内部軸穴に固定されることが望ましい。配置手段は、上記本発明の第１の側面のアダプタの配置手段と同様である。
【００３８】
アダプタの第２部は、挿入部の端面に対向して位置している接合面を有していることが望ましい。本発明の第２の側面では、アダプタが挿入部に接続された際、アダプタの挿入部に対する回転が阻止されるように構成されている。
【００３９】
封止部は、アダプタと接続された際に挿入部の端面に対向する部分を有することが望ましい。また、端面は封止部と挿入部との相対的な回転を阻止するように構成されていることが望ましい。
【００４０】
アダプタの第２部と封止部とは、封止部とアダプタとが軸方向に分離しないよう接触機構を有する。好ましい本発明の側面では、アダプタの外側に面するグルーブに収容される内側に延伸するフランジを有する。
【００４１】
アダプタと挿入部は、挿入部から延在し、内側に延伸する切頭円錐部を更に有することが望ましい。
【００４２】
アダプタの切頭円錐部は、少なくともその一部が自由端から切頭円錐部に沿って軸方向に延在する放射状のスリットを有することが望ましい。
【００４３】
封止部の切頭円錐部は、その内周面に軸方向に延在するリブを有していることが望ましい。また、内周面はスリットに収容され、封止機能を強化し、封止動作を高める肥圧領域を切頭円錐部に提供することが望ましい。
【００４４】
本発明の第５の側面によれば、ケーブルグランドに対する封止部と封止支持部との組み合わせが提供され、封止部と封止支持部とに封止支持部に対する軸方向及び回転方向に連動させる連動機構を提供する。
【００４５】
上記組み合わせによれば、封止部が封止支持部に強固に固定されることが可能である。そのため、通常の使用状態では、封止部は封止支持部から離脱しにくい構成となっている。従って、ケーブルグランドを組み立てる際、封止支持部無しにグランドに組み込まれることはない。これにより、ケーブルグランドの機能性及び安全性が高まることになる。
【００４６】
封止部の第１円筒部と封止支持部とは、支持部を封止支持部に対して軸方向に配置する配置手段を有していることが望ましい。配置手段は、封止支持部の外部円筒グルーブに収容される封止部における内部円筒フランジを有する。
【００４７】
封止部と封止支持部は、グランドに収容される挿入部に組み合わされるように構成されていることが望ましい。また、封止部は、挿入部の端面に対して弾性的な封止を提供する内側に延在するリップが提供されることが望ましい。
【００４８】
封止部及び封止支持部は同一成型により一体的な部品とされることが望ましい。例えば、封止部は封止支持部上にモールドされることが望ましい。
【００４９】
本発明の第６の側面によれば、ケーブルグランドのための封止部と封止支持部を成型する製造方法では、適切にモールドされ、封止部を封止支持部とが一体化され、封止部と封止支持部は配置手段を有し、封止部が軸方向の回転方向に設けられている。
【００５０】
封止部と封止支持部とは、ツイン成型により一体的に成型されていることが望ましい。
【００５１】
封止支持部は、プラスチックあるいは他の適切な材料により構成されていることが望ましい。封止支持部は、ナイロンあるいはポリエステルにより構成されている。封止支持部は、剛体あるいは弾性体により構成されている。
【００５２】
封止部は、エラストマ他、他の最適な材料により構成されていていることが望ましい。封止部は、ゴム、シリコン、ネオプレン、サントプレン（登録商標）により構成されている。封止部は、弾性的に変形可能であることが望ましい。
【００５３】
封止部及び封止支持部は、グランド内に収容される挿入部に対する組立のために構成されていることが望ましい。例えば、封止支持部は挿入部の内部軸穴に収容され保持される円筒部を有することが望ましい。
【００５４】
挿入部は、金属、合金等のような最適な材料により構成されていることが望ましい。特に、真鍮により構成されていることが望ましい。
【００５５】
本発明の第７の側面によると、少なくとも１本の導線を囲む被覆を有するケーブルのためのケーブルバリアグランドが設けられている。グランドは、本体と、使用される際少なくとも１本の導線が本体内とスリーブ内を延伸し、硬化可能な部品はスリーブを満たし少なくとも１本の導線を囲むスリーブ内に配置され、スリーブの一端に設けられ、使用される際スリーブとスリーブ内の硬化部品との間にシールを与える封止部と、を備える。
【００５６】
本発明の上記側面によれば、スリーブと硬化部品との間の結合が不十分でスリーブと硬化部品との間からガスあるいは液体が漏れたとしても、封止部により液体やガスが漏れ出すのを防止することができる。このようにして、液体あるいは気体がグランド内に充満することにより誘発される火災あるいは爆発の危険を回避することができる。さらに、封止部はスリーブに使用される材料に拘らず、上記機能を発揮する。
【００５７】
封止部は端部を有し、バリアスリーブ内に収容され少なくとも１本の導線の周囲と適切に適合することにより、硬化部品がバリアスリーブと封止部品とを満たす円筒封止部を有することが望ましい。このようにして、封止部の端部はバリアスリーブと硬化部品との間を軸方向に延在し、両者の間にシールを構成する。
【００５８】
封止部から離れているバリアスリーブの端部は、少なくとも１本の導線と適合していることが望ましい。このようにして、部品が硬化する前に余分な部品が除去されるという手法により、少なくとも１本の導線のコアを囲む硬化部品の周囲に位置するバリアスリーブを適合させるよう余分な部品がバリアスリーブから除去される。
【００５９】
封止部はバリアスリーブの一端と支持部材との間に配置されるように構成されていることが望ましい。さらに、封止部は予め支持部材に組み込まれていることが望ましい。例えば、封止部と支持部材には、封止部と支持部材が接触して係合可能であるような補足機構が設けられてもよい。さらに、本発明の先立つ側面の挿入部と挿入アダプタにより挿入部と支持部材とが設けられる。
【００６０】
本発明の他の側面では、バリアスリーブが配置される本体は挿入アダプタであり、グランドはバリアスリーブと封止部材とを係合する挿入アダプタと係合する押込スリーブを更に備えている。支持部材は押込スリーブに設けられ、挿入アダプタと押込スリーブとが係合することにより、封止部材はバリアスリーブと支持部材との間に軸方向に位置していることが望ましい。
【００６１】
導線や接地部材を有していないケーブルの使用に適した本発明の側面では、支持部材は押込スリーブ内の内部接合段部に接して収容される円筒部を有する。本体は、接合段部から離れた端部に端ぐりを有している。封止部の端部は、内部フランジと外部グルーブとの係合、あるいは端ぐり内のリブと外部グルーブとの係合により、封止部の一端若しくは他端部において収容され、保持される。なお、封止部を固定する他の係合機構が採用されてもよい。
【００６２】
導線や接地部材を有していないケーブルの使用に適した他の側面では、グランドは導線あるいは接地部材を締付ける支持部材と連動する締付リングを有する。
【００６３】
締付リングと支持部材とは締付面と対向する面、より望ましくは傾斜した締付面に設けられ、グランドは軸方向に相対的に位置している締付リングと支持部材とを、締付面同士の間を導線あるいは接地部材が締付けられるように構成されていることが望ましい。この側面では、支持部材は、締付面から離れた端部における端ぐりを有している。締付面は、例えば外部グルーブとともに内部フランジとの係合あるいは端ぐり内のリブとの係合により、封止部の端部が収容され保持される。外部グルーブは、封止部の一端若しくは他端部に位置している。なお、封止部を固定する他の係合機構が採用されてもよい。
【００６４】
両側面において、バリアスリーブと硬化部品との間を封止するために支持部材をバリアスリーブへと移動させる挿入アダプタに押込スリーブが締付けられグランドが組み立てられる際、封止部は一端と他端の間に外部円筒フランジを有する。一端は、バリアスリーブと支持部材の対向する面の間に位置し、他端はバリアスリーブと硬化部品の間に位置している。
【００６５】
グランドはケーブルの被覆と係合するケーブルを有することが望ましい。被覆はカップナットとの係合によりグランド内に延在し、カップナットには押込スリーブとともにケーブルシールが収容される。
【００６６】
バリアスリーブは、真鍮のような金属あるいは合金をはじめとして、最適な素材により構成されている。なお、バリアスリーブはポリカーボネートのようなプラスチックにより構成されていてもよく、またゴムやエラストマなどのようなプラスチック材料あるいは弾性材料により構成されていてもよい。
【００６７】
封止部材はゴムのような弾性材料あるいはプラスチック材料により構成されていることが望ましいが、適切なエラストマにより構成されていてもよい。また、封止部材はサントプレンのような弾性プラスチック材料により構成されることとしてもよい。
【００６８】
本発明の第８の側面によれば、ケーブルバリアグランドを封止する方法が開示されている。この方法では、グランド内に延在している１本以上の導線は、グランド内のバリアスリーブに含まれる硬化部品に埋め込まれる。また、この方法はバリアスリーブと硬化部品との間を封止するためにバリアスリーブの一端において封止部材を設ける手順を有する。
【００６９】
本発明のこの側面によれば、バリアスリーブと硬化部品との間の接合が不完全であったり、部分的に欠陥があった場合、あるいは欠陥が拡大した場合には、封止部材がグランド内での液体あるいは気体の通過を阻止する。このため、バリアスリーブがどのような材料で構成されていたとしても、様々な状況下でグランドの品位が保たれる。
【００７０】
封止部材はバリアスリーブに収容される端部を有しており、バリアスリーブと硬化部品との間を封止して両者の間を延伸することが望ましい。
【図面の簡単な説明】
【００７１】
【図１】本発明の第１の実施の形態のケーブルグランドの分解断面図である。
【図２】図１に示すケーブルグランドの封止体と封止支持体の拡大分解斜視図である。
【図３】図１のケーブルグランドの封止体に対して配置される前の封止体と支持体の組み合わせの断面図である。
【図４】図１から図３に示されるグランドを構成する挿入体、挿入アダプタ、封止体の変形例を示す図である。
【図５】本発明の第２の実施の形態の、バリアスリーブと硬化部品とともに半分の長さのグランドの分解図により示すケーブルバリアグランドの長手方向に沿った図である。
【図６】図５に示す、硬化部品を省略したグランドの長手方向に沿った図である。
【図７】図６に示す領域Aの拡大図である。
【図８】図５から図７に示すグランドの変形例を示す図である。
【図９】本発明の第３の実施の形態の、バリアスリーブと硬化部品とともに半分の長さのグランドの分解図により示すケーブルバリアグランドの長手方向に沿った図である。
【図１０】本発明の他の実施の形態によるグランドの例を示す図である。
【図１１】本発明の他の実施の形態によるグランドの例を示す図である。
【発明を実施するための形態】
【００７２】
図１を参照して、本発明の第１の実施の形態におけるケーブルグランドについて説明する。ケーブルグランドは、グランド本体２と、挿入体、挿入アダプタ及び封止体の組合せである組立体４と、外装締付リング６と、押込スリーブ８と、後部ナット１０とを有している。ケーブルグランドの構成部材は、図示しない外装ケーブルの回りに同軸上に配置して組立てることができるようにされている。この外装ケーブルは、電気的絶縁材料の外側外装体と１つ又はそれ以上の導線を取囲む電気的絶縁材料の内側外装体との間に配置された金属被覆を有している。
【００７３】
グランド本体２は、図示しない接続箱等の開口部に挿入される側の端部に、受口部２ａを有している。接続箱において、端子との接続のために導線が端部へと延伸している。グランド本体２を接続箱に固定するために、図示しないロックナットと装着できるよう受口部２ａは螺子込み式になっている。接続箱の開口部は、受口部２ａの外側ネジ山と螺合するために傾斜している。
【００７４】
グランド本体２の他端部２ｂは外側にネジ込まれており、端ぐり２ｃを有している。端ぐり２ｃは、内側段部２ｄで終端している。内側段部２ｄは、封止体、封止体用支持部材及び組立体４を配置するための土台となる。組立体４の端部はグランド本体２の端部に位置する端ぐり２ｃから突出しており、ケーブルの外装体を固定させるために締付リング６の内側テーパー面６ａと連動する外側テーパー面４ａを有している。
【００７５】
第１の実施の形態では、締付リング６は組立体４のテーパー面４ａとテーパー面６ａ、６ｂのうちのいずれか一方を嵌合させられるよう反転可能になっており、異なる厚みを有するケーブルの外装体を収容できる。我々の欧州認可特許０５８７３１０号では、このような反転可能な締付リングの内容が中心となっている。但し、締付リングとしては、他の構成を採ることとしてもよい。
【００７６】
締付リング６は押込スリーブ８に収容され、組立体４から離れた方の端部が押込スリーブ８の内側段部８ａに対して位置決めされる。押込スリーブ８は、グランド本体２の外側へねじ込まれた他端部２ｂと係合可能な内側ねじ込み部を有している。押込スリーブ８は、締付リング６を軸方向に組立体４の方向に付勢し、対向するテーパー面同士の間でケーブル外総体を挟み込み、かつ、組立体４をグランド本体２の内側段部２ｄに対して位置決めする。
【００７７】
グランド本体２には、保護ゴム１２が装着されており、保護ゴム１２は、グランド本体２の他端部２ｂ周りに半径隙間を有して軸方向に伸びており、中心方向を向くリップで終端している。リップは、押込スリーブ８の外側面と回転自在かつ摺動自在に係合し、グランド本体２と押込スリーブ８との間を封止してネジ山に沿って湿気が流入することを防ぎ、電線外装の腐食の危険性を軽減している。
【００７８】
後部ナット１０は、ケーブル封止体１３と内部ネジ込み部とを有している。内部ネジ込み部は押込スリーブ８の外部ねじ込み端部と係合可能であり、封止体１３を圧縮して、グランド本体を貫通して延びているケーブル（図示せず）のカバーあるいは被覆と係合させる。
【００７９】
挿入体、挿入アダプタ及び封止体の組合せである組立体４の詳細を図２、３に示す。組立体４は、挿入体１４と、挿入アダプタ１６と、封止体１８とを有している。挿入体１４は真鍮などの合金により形成されている。挿入アダプタ１６はプラスチックたとえばナイロンまたはポリエステルから形成されている。封止体１８は、ゴムやネオプレンのような弾性に富むエラストマ材料により形成されている。本実施の形態では、封止体１８は挿入アダプタ１６の端部と一体となるようにモールディングされている。例えば、封止体１８と挿入アダプタ１６は、ツインショット射出成型とすることができる。但し、封止体１８と挿入アダプタ１６は必ずしも一体である必要はなく、封止体１８と挿入アダプタ１６がそれぞれ別々に分離して形成され、組立された後に接着剤によって恒久的に接着されてもよいし、あるいは結合が解除可能に組み立てられてもよい。
【００８０】
封止体１８は、第１円筒部２０と、半径方向内側に傾斜した切頭円錐部２２と、第２円筒部２４とを有している。第２円筒部２４は第１円筒部２０と同軸上に位置し、第２円筒部２４の直径は第１円筒部２０の直径よりも小さくなっており、ケーブル導線を有する被覆と係合して封止する。
【００８１】
第１円筒部２０には、挿入アダプタ１６に外向きに延設された二つのフランジ部３０、３２の間に形成された溝２８と係合する内側に向けて突出した内部フランジ２６が設けられており、封止体１８の挿入アダプタ１６に対する軸方向の位置決めを行っている。また第１円筒部２０には半径方向内側に向けて突出したリップ３４が設けられている。リップ３４は、挿入アダプタ１６のフランジ部３２における階段部３６を覆うように配置されている。
【００８２】
図３に示されるように、端面３８及び挿入体アダプタ１６における階段部３６の段部４０は平面的な接合面を形成し、後述するように挿入アダプタ１６が挿入体１４に装着された場合に、この接合面は挿入体１４の端面４２と接する。
【００８３】
端面４２の全体若しくは一部は、図示については省略するが、封止体１８と挿入アダプタ１６の挿入体１４に対する回転を阻止するようにギザギザ、鋸歯状あるいは粗い状態となっている。加えて、挿入アダプタ１６における階段部３６の段部４０は軸方向に延びる突出部４４で終端している。突出部４４は、端面４２から挿入体１４内において軸方向に穿設される端ぐり４６に収容される。端ぐり４６は、内部段部４７で終端している。内部段部４７は、端ぐり４６と同軸上に配置され、より小さい直径を有する軸孔４９と連結しており、挿入体１４の他端部に向けて穿設されている。
【００８４】
なお、端面４２を粗くすることにより、端ぐり４６の周縁に鋭利な端部を形成する傾向がある。端ぐり４６は突出部４４のプラスチック材料に噛み合い、挿入アダプタ１６とそれに装着された封止体１８とが挿入体１４に対して回転するのをさらに阻止する。
【００８５】
突出部４４は、挿入体１４の端ぐり４６に収容される挿入アダプタ１６の円筒部４８に連結されており、この円筒部４８には横固定面５４を終端とするテーパー連結面５２を有する外部環状筒部５０が設けられている。端ぐり４６には、横固定面６０を終端とするテーパー連結面５８を有する内部環状リブ５６が設けられている。
【００８６】
挿入アダプタ１６の円筒部４８は端ぐり４６に押込み装着され、外部管状筒部５０の横固定面５４が、内部環状リブ５６の横固定面６０の後端面に配置される。これにより、円筒部４８は端ぐり４６の内部で位置決めされて同軸上で保持され、挿入アダプタ１６が挿入体１４に装着される。
【００８７】
固定面５４、６０の係止はテーパー連結面５２、５８の係合で補助される。挿入アダプタ１６と挿入体１４とが軸方向において互いに分離しないように円筒部５０が内部環状リブ５６に乗り上げてその後部で係合するように円筒部４８は端ぐり４６に挿入される。
【００８８】
挿入アダプタ１６と挿入体１４とを係合する際、挿入アダプタ１６の段部４０と封止体１８の端面３８が挿入体１４の粗い端面４２に対して強固に固定され、挿入体１４に対して挿入アダプタ１６が回転するのを防ぐように外部環状筒部５０と内部環状リブ５６とが位置決めされる。このようにして、挿入アダプタ１６と挿入体１４とは、軸方向に分離せず、かつ相対的に回転しないよう、互いに係合される。
【００８９】
封止体１８の切頭円錐部２２は、挿入アダプタ１６の切頭円錐部６２によって内面から支持されている。切頭円錐部６２には、約１ミリメートル程度の幅を有する切目６４が形成されている。この切目６４は、遊端部から半径方向かつ軸方向に延在し、この切目６４が形成されることにより裁頭円錐部６２に弾性舌片６６が構成される。弾性舌片６６は、封止体１８の第２円筒部２４と同軸の遊端部において、第２円筒部２４よりも径が大きい開口部６８を形成する。弾性舌片６６が変形することで、異なる直径の電線内側外装体を収容できるよう開口部６８の大きさを変えることができる。
【００９０】
封止体１８の切頭円錐部２２の内面には、挿入アダプタ１６のスリット６４内に頂上部６９が設けられている。この頂上部６９を設けることによって封止体１８の厚みを増長させることができ、よって封止体１８の強化、及び、例えばグランドが接続されている装置や接続箱内での爆発後などに封止体１８内での圧力差が発生した場合の封止体１８の封止特性の向上といった利点がある。
【００９１】
次に、図４を参照して、図１から３において説明したケーブルグランドの挿入体１４、挿入アダプタ１６、組立体４の変形例について説明する。なお、説明の便宜上、対応する部材については同じ番号を付す。
【００９２】
この変形例において、挿入アダプタ１６と封止体１８とは別体であり、封止体１８の円筒部２０を挿入アダプタ１６の外部フランジ３０を被せるようにして、封止体１８を挿入アダプタ１６上に装着する。挿入アダプタ１６の円筒部４８は挿入体１４の端ぐり４６に対して押し込み装着され、端ぐり４６の内部環状リブ５６を円筒部４８の外周の適合環状グルーブ７０に係合させて円筒部４８を軸方向に端ぐり４６内に位置決め・保持し、挿入アダプタ１６と封止体１８との組立体を挿入体１４に装着する。挿入体１４、挿入アダプタ１６及び封止体１８は、先の実施の形態で説明した該当する部分の同じ素材により構成されることとしてもよい。
【００９３】
端ぐり４６は、挿入体１４の端部に位置する端ぐり７１に向けて開放されている。封止体１８の内部フランジ２６は、挿入アダプタ１６が挿入体１４に固定される際に端ぐり７１に収容される。図示されるように、外部フランジ３０は、挿入体１４の端部とともに内部フランジ２６より小径の断面部を規定し、挿入体１４と挿入アダプタ１６との間にフランジ２６を配置させる。このようにして、封止体１８は、組立時も使用中も、接着剤を使わずに封止体１８と挿入アダプタ１６とを恒久的に接着することができる。従って、封止体１８を挿入アダプタ１６に固定するために接着剤を使用した場合に必要となる清掃／プライミングなどの工程を排除することで、製造工程を単純化することができる。端ぐり７１はわずかにテーパー状になっており、内部フランジ２６の挿入を容易にし、かつ径方向に押圧して、挿入体１４に対して挿入アダプタ１６と封止体１８とが相対的に回転するのを阻止する一助となっている。
【００９４】
封止体１８の切頭円錐部２２には上述したように挿入アダプタ１６の切目６４内に位置する突出部が設けられている。突出部は省略することもできる。その他の点においては、挿入体１４、挿入アダプタ１６及び封止体１８からなる組立体４の変型例を有するグランドの構成及び動作は、先の実施の形態で説明した内容と同様である。
【００９５】
次に、図５から図７を参照して、第２の実施の形態におけるケーブルバリヤグランド１０１について説明する。ここでは、第１の実施の形態における挿入アダプタ１６と封止体１８に代わり、後述する封止機能を発揮するものとして挿入アダプタ１０７が採用されている。
【００９６】
グランド１０１は、グランド本体１０３、バリアスリーブ１０５、挿入アダプタ１０７、挿入体１０９、締付リング１１１、押込スリーブ１１３、ケーブル封止体１１５、キャップナット１１７を有している。グランド１０１の構成部品は、図示されるようにグランド１０１内に延伸しているケーブル１１９の周囲に配置され、同軸上に組立られる構成とされている。
【００９７】
グランド本体１０３は円筒体１０３ａを有し、その一端にはグランド本体１０３を電気器具の螺子穴に挿入し、周知の方法でケーブル１１９と接続するための外部螺子山１０３ｂが設けられている。
【００９８】
バリアスリーブ１０５は円筒形の形状であり、グランド本体１０３の他端部から延伸する円筒形の端ぐり１０３ｃ内に密着し、端ぐり１０３ｃの内側端部において、内部段部１０３ｄに当接して配置される。
【００９９】
押込スリーブ１１３は円筒体１１３ａを有し、その一端には内部螺子山１１３ｂが形成されている。内部螺子山１１３ｂは、グランド本体１０３の円筒体１０３ａの他端部において外部螺子山１１３ｅと螺合している。
【０１００】
締付リング１１１は環状であり、押込スリーブ１１３の一端部から延伸する円筒形の端ぐり１１３ｃにおいて密着して結合し、端ぐり１１３ｃの内部端部において、内部段部１１３ｄに接して配置されている。
【０１０１】
挿入体１０９は環状体であり、端ぐり１１３ｃにおいて密着し、外部テーパー状締付面１０９ａを締付リング１１１の内部テーパー状締付面１１１ａに対向して配置する。なお、締付リング１１１の目的については後述する。
【０１０２】
挿入アダプタ１０７は、ネオプレンやその他の適切なエラストマのような材料により形成されている。挿入アダプタ１０７は、中央付近に外部環状フランジ１０７ｂを有する円筒体１０７ａから構成されている。円筒体１０７ａはバリアスリーブ１０５の端面と挿入体１０９の端面との間に外部環状フランジ１０７ｂが配置された状態で、バリアスリーブ１０５と挿入体１０９とが密着するような大きさに形成されている。
【０１０３】
挿入アダプタ１０７は、組立を簡単にすべく予め挿入体１０９に組みつけられている。このようにして、挿入体１０９は、挿入アダプタ１０７に対する支持部材として機能する。この目的のため、環状グルーブ１０７ｃが、挿入体１０９に収容されている挿入アダプタ１０７の端部に形成されている。挿入体１０９の軸穴の内部フランジ１０９ｂを環状グルーブ１０７ｃ内に位置させ、挿入体１０９と挿入アダプタ１０７を互いに軸方向に分離しないよう固定する。外部環状フランジ１０７ｂは、挿入体１０９の端面１０９ｇで、しっかりと保持されている。端面１０９ｇは、上述したように、挿入アダプタ１０７と挿入体１０９との間の相対回転を阻止するように機能する。
【０１０４】
図７に示されるように、外部環状テーパー面１０７ｄが、挿入体１０９の軸穴に収容される挿入アダプタ１０７の端部に設けられている。内部フランジ１０９ｂはテーパー面１０７ｄと協働する側に傾斜した導入面１０９ｃを有しており、挿入アダプタ１０７の端部の挿入体１０９の軸穴への挿入を補助している。
【０１０５】
内部フランジ１０９ｂの傾斜した導入面１０９ｃは、半径方向に延伸する端面１０９ｄで終端している。環状グルーブ１０７ｃは、内部フランジ１０９ｂと相互補完的な形状を有しており、挿入アダプタ１０７の端部が端面１０９ｄの後部に位置し、挿入体１０９上の組立位置に挿入アダプタ１０７が固定・維持される。
【０１０６】
図５に示されるように、キャップナット１１７は円筒体を有し、その一端には外部螺子１１３ｅと係合する内部ねじ山１１７ａが形成されている。外部螺子１１３ｅは、バリアスリーブ１０５から離れた、押込スリーブ１１３の他端部に位置している。
【０１０７】
ケーブル封止体１１５は、キャップナット１１７内の環状凹部１１７ｂに収容されている。ケーブル封止体１１５は、内部接合段部１１７ｃと、キャップナット１１７の他端部において係合している。
【０１０８】
内部接合段部１１７ｃはテーパー状であり、キャップナット１１７が押込スリーブ１１３に固定された際、ケーブル封止体１１５のテーパー端部１１５ａと協働してケーブル封止体１１５を径方向内側へ付勢し、ケーブル１１９の周囲を封止する。
【０１０９】
ここで、グランド１０１の組立及び動作について説明する。
【０１１０】
ケーブル１１９は被覆１２１を有しており、その上を、ケーブル封止体１１５を内蔵したキャップナット１１７及び、キャップナット１１７と弱く螺子止めされている押込スリーブ１１３とが摺動する。次に被覆１２１をケーブル１１９の端部から切り込み、１つ以上の導線コア１２３を囲む保護・接地部１２２を露出させる。なお、ここでは導線コア１２３を２つ示したが、電気的配置に応じてこの個数は変更可能である。
【０１１１】
次に保護・接地部１２２を切り込み、対向する挿入体１０９の傾斜した締付面１０９ａと締付リング１１１の傾斜した締付面１１１ａとの間に配置する。この状態において導線コア１２３は、挿入体１０９に固定される挿入アダプタ１０７から突出する。
【０１１２】
次に図示しない電気調整部に螺子止めされたグランド本体１０３、及び押込スリーブ１１３とを貫通するように突出した導線コア１２３を配置する。押込スリーブ１１３は、螺子山１０３ａと１１３ｂとの螺合によりグランド本体１０３に螺子止めされており、この時、保護・接地部１２２が挿入体１０９の傾斜した締付面１０９ａと締付リング１１１の傾斜した締付面１１１ａとの間に挟みこまれる。
【０１１３】
続いて、押込スリーブ１１３をグランド本体１０３から解放し、導線コア１２３はグランド本体１０３より引き出される。次に粘性を有するパテあるいはプラスティシーンのエポキシ樹脂等である硬化可能なコンパウンド（充填剤）１２５を、露出された導線コア１２３同士の間や周囲に配置し、各導線コア１２３間の間隙を埋める。
【０１１４】
この状態で、コンパウンド（充填剤）１２５が硬化する前に、バリアスリーブ１０５をケーブル１１９の端部に摺動させ、硬化可能なコンパウンド（充填剤）１２５が充填された導線コア１２３を押圧し、挿入アダプタ１０７の円筒端部１０７ｅ上（図７）に押し込める。こうして、バリアスリーブ１０５は挿入アダプタ１０７の外部環状フランジ１０７ｂに当接するように配置される。
【０１１５】
硬化可能なコンパウンド（充填剤）１２５は、バリアスリーブ１０５と挿入アダプタ１０７の円筒体１０７ａを満たしている。挿入アダプタ１０７から遠い側のバリアスリーブ１０５の端部は、余分な硬化可能なコンパウンド（充填剤）１２５が滲み出すための環状孔１２７を残して、導線コア１２３の周囲と密着される。
【０１１６】
余剰な硬化可能なコンパウンド（充填剤）１２５を除去した後、図示しない電気付属品に螺子止めされたグランド本体１０３、グランド本体１０３の端ぐり１０３ｃに挿入されたバリアスリーブ１０５、グランド本体１０３に螺子止めされた押込スリーブ１１３に導線コア１２３を挿通し、グランドを固定すべく手で握って締め、バリアスリーブ１０５をコンパウンド（充填剤）１２５上に圧縮し、コンパウンド（充填剤）１２５が硬化・固定するのを待つ。
【０１１７】
一旦コンパウンド（充填剤）１２５が硬化すると、押込スリーブ１１３は図示しないスパナ等の道具を用いてグランド本体１０３に固定される。そして、挿入アダプタ１０７の外部環状フランジ１０７ｂはバリアスリーブ１０５の対向する端面の間で軸方向に押圧される。挿入アダプタ１０７の円筒端部１０７ｅはバリアスリーブ１０５とコンパウンド（充填剤）１２５との間を封止する。
【０１１８】
最後に、キャップナット１１７を押込スリーブ１１３に締め付け、ケーブル封止体１１５を圧縮・付勢してケーブル１１９の被覆１２１と係合させる。
【０１１９】
図５から図７において説明したバリアケーブルグランドの変形例を図８に示す。なお、同一部分には同一の符号を付す。バリアスリーブ１０５は、金属、プラスチック、エラストマ等の材料により構成されている。挿入アダプタ１０７は、プラスチック、エラストマ等の材料により構成されている。
【０１２０】
バリアスリーブ１０５は、グランド本体１０３内の端ぐりに収容されるように構成されており、その一端で図５に示す端ぐり内の内部段部に当接する。使用するにあたっては、バリアスリーブ１０５は図示しない硬化可能なコンパウンド（充填剤）を有しており、このコンパウンド（充填剤）は、グランド内を延在するケーブルの各導線周囲を覆っている。
【０１２１】
挿入アダプタ１０７は円筒端部１０７ｅ、外部環状フランジ１０７ｂ、他の円筒端部１０７ｆを有している。円筒端部１０７ｅは、バリアスリーブ１０５の他端部に収容される。外部環状フランジ１０７ｂは、バリアスリーブ１０５の端部と、挿入体１０９の端面１０９ｅとの間に位置している。円筒端部１０７ｆは、挿入体１０９の端ぐりに収容される。
【０１２２】
挿入アダプタ１０７の円筒端部１０７ｆは、内部フランジ、あるいはリブ１０９ｂが環状グルーブ１０７ｃに係合することで、挿入体１０９の端ぐり内に固定される。上述したように、この係合により挿入体１０９と挿入アダプタ１０７との軸方向の分離が阻止されている。外部環状フランジ１０７ｂは挿入体１０９の粗い端面１０９ｇと強固に固定されるので、挿入アダプタ１０７に対する挿入体１０９の回転は抑制される。
【０１２３】
挿入アダプタ１０７の円筒端部１０７ｅは、バリアスリーブ１０５の端部１０５ａに収容される。端部１０５ａは径が大きくなっており、コンパウンド（充填剤）とバリアスリーブ１０５との間を封止している。そのため、コンパウンド（充填剤）とバリアスリーブ１０５との接着が破壊した場合にも封止効率が維持される。
【０１２４】
次に、本発明の第３の実施の形態にかかるケーブルバリアグランドについて、図９を参照して説明する。図９において、第２の実施の形態と同じ部分には、同じ符号を付して詳しい説明を省略する。第３の実施の形態では、導線あるいは保護・接地部１２２と締付リング１１１は省略され、挿入体１０９に代えて、挿入アダプタ１０７用に挿入体１２９が設けられている。
【０１２５】
挿入体１２９は円筒体１３１から構成されている。円筒体１３１は、押込スリーブ１１３の端ぐり１１３ｃに収容され、その一端で内部段部１１３ｄに当接する。その結果、押込スリーブ１１３がグランド本体１０３に固定された際、挿入体１２９は軸方向においてバリアスリーブ１０５側に向かって付勢される。
【０１２６】
挿入体１２９の他端部には挿入アダプタ１０７の端部を収容する端ぐり１２９ａが形成されており、端ぐり１２９ａ内には内部環状フランジ部１２９ｂが設けられている。内部環状フランジ部１２９ｂは、挿入アダプタ１０７の環状グルーブ１０７ｃと係合し、挿入アダプタ１０７と挿入体１２９とを結合している。
【０１２７】
他の構成においては、グランド１０１の構成、組み立て、及び動作は第２の実施の形態と同様であり、第１の実施の形態から理解することができる。
【０１２８】
第２、第３の実施の形態から理解されるように、挿入アダプタ１０７はバリアスリーブ１０５とその内部に収容される硬化可能なコンパウンド（充填剤）１２５との間を封止する。
【０１２９】
その結果、コンパウンド（充填剤）１２５がバリアスリーブ１０５の内周に部分的にしか固定せず、コンパウンド（充填剤）１２５とバリアスリーブ１０５との間に、バリアスリーブ１０５の全長に亘って延伸する流出経路が形成されたとしても、グランド１０１に注入された気体や液体は挿入アダプタ１０７内に閉じ込められたままであり、外部への流出を防止することができる。
【０１３０】
上述のように、封止の有用性とバリアスリーブ１０５の素材とは無関係であるので、バリアスリーブ１０５が真鍮のような金属、サントプレン（ＲＴＭ）のようなエラストマ、ポリカーボネートのようなプラスチックや他の材料によって形成されていたとしても、グランド１０１の統一性は保障されることは当業者にとっては自明である。
【０１３１】
次に、図９、図１０を参照して、本発明の他の実施の形態について説明する。他の実施の形態では、他の用途に使用すべく、図１に示される挿入アダプタ１６と封止体１８は、挿入体１４との組みつけるための他の部材に変更することができる。なお、図１に示される構成と共通する部分には、図１と同じ符号を付す。
【０１３２】
図１０には、ケーブルグランドの他の実施の形態を示す。ここでは、挿入体１４は挿入アダプタ９０と組み合わされる。挿入アダプタ９０には、小さい圧力の場合に備えて、リップ封止体９２が設けられている。挿入アダプタ９０は、エラストマあるいはプラスチックにより形成されている。
【０１３３】
封止リップ９２は、円筒体９４の一端に設けられている。封止リップ９２は、半径方向内側へ延在しており、導線が通る開口部を形成している。円筒体９４の他端部には、円筒突出部９６が設けられている。円筒突出部９６は、上述の挿入アダプタ７２の端部８０と同様に、挿入体１４の端ぐり４６へ押し込まれて、円筒突出部９６のグルーブ８４に挿入体１４の内部環状リブ５６を係合させている。ゆえに、挿入体１４と挿入アダプタ９０とは軸方向に分離不能に固定され、円筒体９４の断面９８と挿入体１４の粗面状の端面４２とが強固に接合し、挿入体１４と挿入アダプタ９０との間の相対的な回転を防止している。
【０１３４】
図１１には、挿入アダプタ１００に挿入体１４が組み合わされたケーブルグランドの変形例を示す。この変形例において、封止体は用いられていない。挿入アダプタ１００は、プラスチックあるいはエラストマにより形成されている。挿入アダプタ１００は、図１０に示した封止リップ９２が設けられていない挿入アダプタ９０と同様である。挿入アダプタ１００の構成、及び、挿入体１４との組みつけについては、図１０の記載内容より明らかである。
【０１３５】
上記各実施の形態から理解できるように、ひとつの共通した挿入部品に、複数の中から選択された挿入アダプタを組み合わせて、所定の用途のためのグランドの挿入体を形成することができる。挿入部品は、一般的に金属や合金で形成されており（通常は真鍮）、挿入アダプタはプラスチックやエラストマにより形成されているため、多数の異なる挿入アダプタが、例えば射出成形などの手法により、比較的安価に製造される。挿入体と一体となる何種類もの挿入アダプタは、簡単に、比較的安価に製造される。共通の挿入部品に組み合わされる各種の挿入アダプタが比較的安価に製造できるため、組立体のコスト、すなわち挿入体と挿入アダプタのコストは、全て真鍮により製造された場合と比較して抑えられる。さらに、異なる用途に応じた複雑な形状を有する挿入アダプタが、挿入体との組み付け用に、射出成形により高精度で成型されるので、同じ形状の部品を製造するのに高価な真鍮を加工する必要がなく、更なるコスト削減につながる。
【０１３６】
以上、本発明の実施の形態について説明したが、本発明は上記具体的な実施の形態に限定されるものではない。当業者にとって、挿入体と挿入アダプタの組み合わせを本発明の趣旨を逸脱しない範囲内で種々の変形することは、容易に推察できるものである。例えば、挿入体は、外装ケーブル用ケーブルグランドに使用される締付リングと協働することとしてもよい。あるいは、外装の無いケーブル用ケーブルグランドに使用できる構成の挿入体であってもよい。上記挿入体と挿入アダプタは、所望の用途のためのケーブルグランドを構成するために、上記全ての、あるいはいくつかの特徴を有することとしてもよい。また、本発明は、上記で説明されたケーブルグランドのあらゆる新規な特徴を個別に、あるいは他のあらゆる新規の特徴と組み合わせて含んでいるものとし、また、上述の新規な特徴の全ての組み合わせは、本発明の範囲を逸脱しないと考えられる。
【０１３７】
さらに、上記発明は電気ケーブルに限定されるべきものではなく、光ファイバーケーブル等のような、他のケーブルに適用されてもよい。また、「ケーブル」という言葉は、説明の都合上用いられたものであり、ケーブル、ワイヤー、パイプ、チューブ、あるいは他の細長い部品をも含むこととし、本発明は適宜解釈されるものである。
【符号の説明】
【０１３８】
２ グランド本体
２ａ 受口部
２ｂ 他端部
２ｃ 端ぐり
２ｄ 段部
４ 組立体
４ａ テーパー面
６ 締付リング
６ａ テーパー面
８ 押込スリーブ
８ａ 内側段部
１０ 後部ナット
１２ 保護ゴム
１３ ケーブル封止体
１４ 挿入体
１６ 挿入アダプタ
１８ 封止体
２０ 第１円筒部
２２ 切頭円錐部
２４ 第２円筒部
２５ 孔 
２６ 内部フランジ
２８ 溝
３０ フランジ部
３２ フランジ部
３４ リップ
３６ 階段部
３８ 端面
４０ 段部
４２ 端面
４４ 突出部
４７ 内部段部
４８ 円筒部
４９ 軸孔
５０ 外部環状筒部
５２ テーパー連結面
５４ 横固定面
５６ 内部環状リブ
５８ テーパー連結面
６０ 横固定面
６２ 切頭円錐部
６２ 裁頭円錐部
６４ 切目
６６ 弾性舌片
６８ 開口部
６９ 頂上部
７０ 適合環状グルーブ
７２ 挿入アダプタ
８０ 端部
８４ グルーブ
９０ 挿入アダプタ
９２ 封止リップ
９４ 円筒体
９６ 円筒突出部
９８ 断面
１００   挿入アダプタ
１０１   グランド
１０３   グランド本体
１０３ａ  円筒体
１０３ａ  螺子山
１０３ｂ  外部螺子山
１０３ｄ  内部肩部
１０５    バリアスリーブ
１０５ａ  端部
１０７   挿入アダプタ
１０７ｂ  外部環状フランジ
１０７ｃ  環状グルーブ
１０７ｄ  テーパー面
１０７ｅ  円筒端部
１０７ｆ  円筒端部
１０９   挿入体
１０９ａ  締付面
１０９ｂ  内部フランジ
１０９ｃ  導入面
１０９ｄ  端面
１０９ｅ  端面
１０９ｇ  端面
１１１   締付リング
１１１ａ  締付面
１１３   押込スリーブ
１１３ａ  円筒体
１１３ｂ  内部螺子山
１１３ｄ  内部肩部
１１３ｅ  外部螺子山
１１５   ケーブル封止体
１１５ａ  テーパー端部
１１７   キャップナット
１１７ａ  山
１１７ｂ  環状凹部
１１７ｃ  内部接合肩部
１１９   ケーブル
１２１   被覆
１２２   保護・接地部
１２３   導線コア
１２５   複合物
１２７   環状孔
１２９   挿入体
１２９ｂ  内部環状フランジ部
【図１】
2010503374.tif 000003
【図２】
2010503374.tif 000004
【図３】
2010503374.tif 000005
【図４】
2010503374.tif 000006
【図５】
2010503374.tif 000007
【図６】
2010503374.tif 000008
【図７】
2010503374.tif 000009
【図８】
2010503374.tif 000010
【図９】
2010503374.tif 000011
【図１０】
2010503374.tif 000012
【図１１】
2010503374.tif 000013
【国際調査報告】
2010503374.tif 000014
2010503374.tif 000015